(57)【特許請求の範囲】
【請求項１】
免許を受けた通信帯域および無免許通信帯域内の運用のために構成されたワイヤレスデバイスによって動作可能な方法であって、
前記免許を受けた通信帯域または前記無免許通信帯域上で1次コンポーネントキャリア(PCC)との接続を確立するステップと、
前記無免許通信帯域の伝送チャネルに対する制約に関連する少なくとも1つのメトリックを求めるステップであって、前記少なくとも1つのメトリックが、セルローディング、トラフィックタイプ、サービス品質(QoS)表示、前記無免許通信帯域上のユーザ数、利用可能なバックホール帯域幅、またはアクセスポイントからの干渉のうちの1つを含む、ステップと、
前記PCCに前記少なくとも1つのメトリックを送るステップと、
前記少なくとも1つのメトリックを送ったことに応答して、前記無免許通信帯域上の送信のために2次コンポーネントキャリア(SCC)をスイッチオンまたはスイッチオフすることの一方についてのメッセージを受信するステップであって、前記SCCは、無免許通信帯域のセットから選択され、前記セットは、前記セットからの選択の尤度を定義するバイアスパラメータに関連付けられている、ステップと
を含む方法。
【請求項２】
前記少なくとも1つのメトリックが、前記無免許通信帯域上のトラフィック負荷を示すしきい値に関連付けられる請求項1に記載の方法。
【請求項３】
前記メッセージが、トラフィック負荷がしきい値を超えていることを示さない前記少なくとも1つのメトリックに基づいて、前記無免許通信帯域上の送信のために前記SCCをスイッチオフすることを示す請求項2に記載の方法。
【請求項４】
前記免許を受けた通信帯域が利用可能ではない場合、既知の周波数帯を選択するステップをさらに含む請求項1に記載の方法。
【請求項５】
前記免許を受けた通信帯域が利用可能ではない場合、利用可能な周波数帯のセットから1つの周波数帯を選択するステップをさらに含む請求項1に記載の方法。
【請求項６】
請求項1乃至5のいずれか1項に記載の方法を実行するように構成された手段を備える装置。
【請求項７】
請求項1乃至5のいずれか1項に記載の方法を実行するように構成されたコードを備えるコンピュータ読み取り可能な記録媒体。
【請求項８】
免許を受けた通信帯域および無免許通信帯域内の運用のために構成されたアクセスポイントによって動作可能な方法であって、
前記免許を受けた通信帯域または前記無免許通信帯域上でモバイルエンティティとの接続を確立するステップと、
前記無免許通信帯域の伝送チャネルに対する制約に関連する少なくとも1つのメトリックが、前記無免許通信帯域上のトラフィック負荷を示すかどうかを判定するステップであって、前記少なくとも1つのメトリックが、セルローディング、トラフィックタイプ、サービス品質(QoS)表示、前記無免許通信帯域上のユーザ数、利用可能なバックホール帯域幅、またはアクセスポイントからの干渉のうちの1つを含む、ステップと、
前記少なくとも1つのメトリックがしきい値を超えるトラフィック負荷を示すと判定したことに応答して、前記無免許通信帯域上の送信のために2次コンポーネントキャリア(SCC)の活動化について前記モバイルエンティティに構成メッセージを送るステップであって、前記SCCは、無免許通信帯域のセットに関連付けられ、前記セットは、前記セットからの選択の尤度を定義するバイアスパラメータに関連付けられている、ステップと
を含む方法。
【請求項９】
前記少なくとも1つのメトリックが前記無免許通信帯域上の前記トラフィック負荷を示すしきい値未満であるかどうかを判定するために、前記モバイルエンティティから前記少なくとも1つのメトリックを受信するステップをさらに含む請求項8に記載の方法。
【請求項１０】
データ送信キューサイズ、トラフィックタイプ、またはサービス品質(QoS)表示に基づいて、前記少なくとも1つのメトリックの値を推論するステップをさらに含む請求項8に記載の方法。
【請求項１１】
前記少なくとも1つのメトリックがしきい値を超えるトラフィック負荷を示さないと判定したことに応答して、2次コンポーネントキャリアの非活動化のために前記モバイルエンティティに別の構成メッセージを送るステップをさらに含む請求項8に記載の方法。
【請求項１２】
前記少なくとも1つのメトリックが、前記無免許通信帯域上のトラフィック負荷を示すしきい値に関連付けられ、前記少なくとも1つのメトリックが、セルローディング、前記無免許通信帯域上のユーザ数、利用可能なバックホール帯域幅、または運用のために構成されたアクセスポイントからの干渉のうちの少なくとも1つを含む請求項8に記載の方法。
【請求項１３】
請求項8乃至12のいずれか1項に記載の方法を実行するように構成された装置。
【請求項１４】
請求項8乃至12のいずれか1項に記載の方法を実行するように構成されたコードを備えるコンピュータ読み取り可能な記録媒体。
【発明の詳細な説明】
【技術分野】
【０００１】
関連出願の相互参照
本特許出願は、本明細書の譲受人に譲渡され、参照によりその全体が本明細書に明確に組み込まれる、2013年9月4日出願の「OPPORTUNISTIC CARRIER AGGREGATION FRAMEWORK FOR EFFICIENT LTE OPERATION IN UNLICENSED SPECTRUM」という名称の非仮出願第61/873649号の優先権を主張する。
【０００２】
本開示の態様は、一般にはワイヤレス通信システムに関し、より詳細には、無免許チャネル内のLong Term Evolution(LTE)運用に関する。
【背景技術】
【０００３】
ワイヤレス通信ネットワークは、音声、ビデオ、パケットデータ、メッセージング、ブロードキャストなどの様々な通信サービスを提供するために広く配置されている。これらのワイヤレスネットワークは、利用可能なネットワークリソースを共有することによって複数のユーザをサポートすることのできる多元接続ネットワークであり得る。そのような多元接続ネットワークの例には、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークがある。本明細書では、「キャリア」とは、定義された周波数を中心とし、ワイヤレス通信のために使用される無線帯域を指す。
【０００４】
ワイヤレス通信ネットワークは、いくつかのユーザ機器(UE)についての通信をサポートし得るいくつかの基地局を含み得る。UEは、ダウンリンクおよびアップリンクを介して基地局と通信し得る。ダウンリンク(または順方向リンク)とは、基地局からUEへの通信リンクを指し、アップリンク(または逆方向リンク)とは、UEから基地局への通信リンクを指す。
【０００５】
ワイヤレス通信ネットワークは、複数のキャリア上での運用をサポートし得る。キャリアは、通信のために使用される周波数の範囲を指すことがあり、いくつかの特徴に関連付けられ得る。たとえば、キャリアは、キャリア上の運用を記述するシステム情報に関連付けられ得る。キャリアはまた、コンポーネントキャリア(CC)、周波数チャネル、セルなどと呼ばれることもある。
【先行技術文献】
【非特許文献】
【０００６】
【非特許文献１】3GPP Technical Report 36.932 V12.1.0、Section 4(「Introduction」)
【発明の概要】
【発明が解決しようとする課題】
【０００７】
LTE UEデバイスは通常、免許を受けた周波数スペクトル上で動作する。しかしながら、無免許周波数スペクトル上で運用するために免許が不要であるので、無免許周波数スペクトルは、ワイヤレス通信のための費用のかからないリソースを提供し得る。この状況では、無免許帯域内のキャリアアグリゲーションを活用するための機構が依然として求められている。
【課題を解決するための手段】
【０００８】
図面に示される本開示の例示的態様が以下で要約される。これらおよび他の態様が、詳細な説明のセクションでより完全に説明される。しかしながら、本開示は、この概要または詳細な説明で説明される形態に限定されないことを理解されたい。
【０００９】
本明細書で説明される1つまたは複数の態様によれば、無免許スペクトル内のLTE運用のための方法が提供される。たとえば、LTE運用は、無免許スペクトルのために最適化され得る。方法は、免許を受けた通信帯域または無免許通信帯域上で1次コンポーネントキャリアとの接続を確立することを含み得る。方法は、無免許通信帯域の伝送チャネルに対する制約に関連する少なくとも1つのメトリックを求めることを含み得る。方法は、1次コンポーネントキャリアに少なくとも1つのメトリックを送ることを含み得る。方法は、少なくとも1つのメトリックを送ったことに応答して、無免許通信帯域上の送信のために2次コンポーネントキャリア(SCC)をスイッチオンまたはスイッチオフすることの一方についてのメッセージを受信することを含み得る。
【００１０】
関連する態様では、方法は、無免許通信帯域上のトラフィック負荷を示すしきい値に関連する少なくとも1つのメトリックを求めることを含み得、少なくとも1つのメトリックは、セルローディング(cell loading)、トラフィックタイプ、サービス品質(QoS)表示、無免許通信帯域上のユーザ数、利用可能なバックホール帯域幅、またはアクセスポイントからの干渉のうちの1つを含む。
【００１１】
さらに別の関連する態様では、方法は、少なくとも1つのメトリックが比較的高いトラフィック負荷を示すとき、無免許通信帯域上の送信のためにSCCをスイッチオンすることを示すメッセージを受信し、または少なくとも1つのメトリックが比較的高いトラフィック負荷を示さないとき、無免許通信帯域上の送信のためにSCCをスイッチオフすることを示すメッセージを受信することを含み得る。
【００１２】
さらに別の関連する態様では、方法は、免許を受けた通信帯域が利用可能であるかどうかを判定すること、および免許を受けた通信帯域が利用可能である場合、免許を受けた通信帯域上で接続を確立することを含み得る。
【００１３】
さらに別の関連する態様では、方法は、免許を受けた通信帯域が利用可能ではない場合、既知の周波数帯を選択することを含み得る。方法は、免許を受けた通信帯域が利用可能ではない場合、利用可能な周波数帯のセットから1つの周波数帯を選択することを含み得る。
【００１４】
本明細書で説明される別の1つまたは複数の態様によれば、無免許スペクトル内のLTE運用のための方法が提供される。方法は、免許を受けた通信帯域または無免許通信帯域上でモバイルエンティティとの接続を確立することを含み得る。方法は、無免許通信帯域の伝送チャネルに対する制約に関連する少なくとも1つのメトリックが、無免許通信帯域上のトラフィック負荷を示すかどうかを判定することを含み得る。方法は、少なくとも1つのメトリックが比較的高いトラフィック負荷を示すと判定したことに応答して、SCCの活動化のためにモバイルエンティティに構成メッセージを送ることを含み得る。
【００１５】
別の関連する態様では、方法は、少なくとも1つのメトリックが無免許通信帯域上のトラフィック負荷を示すしきい値未満であるかどうかを判定するために、モバイルエンティティから少なくとも1つのメトリックを受信することを含み得る。
【００１６】
さらに別の関連する態様では、方法は、データ送信キューサイズ、トラフィックタイプ、またはサービス品質(QoS)表示に基づいて、少なくとも1つのメトリックの値を推論することを含み得る。
【００１７】
さらに別の関連する態様では、方法は、少なくとも1つのメトリックが比較的高いトラフィック負荷を示さないと判定したことに応答して、2次コンポーネントキャリアの非活動化のためにモバイルエンティティに別の構成メッセージを送ることを含み得る。
【００１８】
さらに別の関連する態様では、方法は、免許を受けた通信帯域上のトラフィック負荷を示すしきい値に関連する少なくとも1つのメトリックが無免許通信帯域上のトラフィック負荷を示すかどうかを判定することを含み得、少なくとも1つのメトリックは、セルローディング、無免許通信帯域上のユーザ数、利用可能なバックホール帯域幅、または運用のために構成されたアクセスポイントからの干渉のうちの少なくとも1つを含む。
【図面の簡単な説明】
【００１９】
【図１】電気通信システムの一例を概念的に示すブロック図である。
【図２】例示的デュアルキャパシティ基地局を示す図である。
【図３】本開示の一態様に従って構成された基地局eNBおよびUEの設計を示すブロック図である。
【図４Ａ】連続するキャリアアグリゲーションタイプを開示する図である。
【図４Ｂ】非連続のキャリアアグリゲーションタイプを開示する図である。
【図５】無免許帯域内の2次コンポーネントキャリア(SCC)のスイッチオンまたはオフをシグナリングすることについての例示的コールフローダイアグラムを示す図である。
【図６】無免許帯域内のSCCのスイッチオンまたはオフをシグナリングするための方法の態様を示す図である。
【図７】無免許帯域内のSCCのスイッチオンまたはオフをシグナリングするための別の方法の態様を示す図である。
【図８】無免許帯域内のSCCのスイッチオンまたはオフをシグナリングするためのモバイルデバイスについての例示的実施形態である。
【図９】無免許帯域内のSCCのスイッチオンまたはオフをシグナリングするためのアクセスポイントについての例示的実施形態である。
【発明を実施するための形態】
【００２０】
本開示は、無免許帯域内の効率的なLTE運用のための技法に関する。たとえば、効率的なLTE運用は、無免許通信帯域内で2次コンポーネントキャリア(SCC)をスイッチオンまたはオフすることを含み得る。近隣小規模セル(NSC:neighborhood small cell)が、セルラーカバレッジの向上を実現するためにマクロ基地局を配置することの代替を提供し得る。しかしながら、広範なNSC配置についての主な障害は、免許を受けた帯域上の利用可能なスペクトルの欠如である。無免許帯域上にNSCを配置することは、セルラーカバレッジの向上のための大きな可能性を保持する。LTEなどのいくつかのセルラープロトコルは、Wi-Fiなどの非セルラーまたはWLANプロトコルと比較して、より高いスペクトル効率およびカバレッジを提供することに留意されたい。しかしながら、無免許帯域内のNSCの配置は、無免許帯域上の非セルラー(たとえば、Wi-Fi)通信を中断させ、またはそれに対する干渉を引き起こし得る。
【００２１】
一実施例では、モバイルデバイスとの接続を確立し、1つまたは複数のメトリックに基づいて無免許通信帯域上のSCCをスイッチオンまたはオフするためのメッセージを送り得るネットワークエンティティ(たとえば、小規模基地局)が提供される。モバイルデバイスはメッセージを受信し、SCCをスイッチオンまたはオフし得る。
【００２２】
以下で説明される詳細な説明は、添付の図面とともに、様々な構成の説明として意図され、本明細書で説明される概念が実施され得る唯一の構成を表すことは意図されない。詳細な説明は、様々な概念の完全な理解を与える目的で特定の詳細を含む。しかしながら、これらの特定の詳細なしに概念が実施され得ることは当業者には明らかであろう。いくつかの例では、そのような概念を不明瞭にすることを避けるために、周知の構造および構成要素がブロック図形式で示される。
【００２３】
本明細書で説明される技法は、CDMA、TDMA、FDMA、OFDMA、SC-FDMA、および他のネットワークなどの様々なワイヤレス通信ネットワークのために使用され得る。「ネットワーク」および「システム」という用語は、しばしば互換的に使用される。CDMAネットワークは、ユニバーサル地上無線アクセス(UTRA)、cdma2000などの無線技術を実装し得る。UTRAは、広帯域CDMA(WCDMA(登録商標))およびCDMAの他の変形を含む。cdma2000は、IS-2000、IS-95、およびIS-856規格をカバーする。TDMAネットワークは、モバイル通信用グローバルシステム(GSM(登録商標))などの無線技術を実装し得る。OFDMAネットワークは、Evolved UTRA(E-UTRA)、Ultra Mobile Broadband(UMB)、IEEE 802.11(Wi-Fi)、IEEE 802.16(WiMAX)、IEEE 802.20、Flash-OFDMAなどの無線技術を実装し得る。UTRAおよびE-UTRAは、ユニバーサルモバイル通信システム(UMTS)の一部である。3GPP Long Term Evolution (LTE)およびLTE-Advanced(LTE-A)は、E-UTRAを使用するUMTSの新しいリリースである。UTRA、E-UTRA、UMTS、LTE、LTE-A、およびGSM(登録商標)は、「3rd Generation Partnership Project」(3GPP)という名称の組織からの文書内に記載されている。CDMA2000およびUMBは、「3rd Generation Partnership Project 2」(3GPP2)という名称の組織からの文書内に記載されている。本明細書で説明される技法は、前述のワイヤレスネットワークおよび無線技術、ならびに他のワイヤレスネットワークおよび無線技術のために使用され得る。明快のために、技法のいくつかの態様が、LTEについて以下で説明され、以下の説明の多くでは、LTEの専門用語が用いられる。
【００２４】
図1は、LTEネットワークなどであり得る例示的ワイヤレス通信ネットワーク100を示す。ワイヤレスネットワーク100は、いくつかの基地局110(たとえば、進化型ノードB(eNB)、NSCなど)および他のネットワークエンティティを含み得る。基地局は、UEと通信するステーションであり得、Node B、AP、または他の用語で呼ばれることもある。各eNB110a、110b、110cは、特定の地理的エリアについての通信カバレッジを提供し得る。3GPPでは、「セル」という用語は、用語が使用される文脈に応じて、eNBのカバレッジエリアおよび/またはこのカバレッジエリアにサービスするeNBサブシステムを指すことがある。
【００２５】
eNBは、マクロセルまたは小規模セル(たとえば、ピコセル、フェムトセル、および/または他のタイプの小規模セル)についての通信カバレッジを提供し得る。マクロセルは、比較的大きい地理的エリア(たとえば、半径数キロメートル)をカバーし得、サービスに加入しているUEによる無制限のアクセスを可能にし得る。いくつかのタイプの小規模セル、たとえばピコセルは、比較的小さい地理的エリアをカバーし得、サービスに加入しているUEによる無制限のアクセスを可能にし得る。別のタイプの小規模セル、たとえばフェムトセルは、比較的小さい地理的エリア(たとえば、自宅)をカバーし得、フェムトセルとの関連付けを有するUE(たとえば、限定加入者グループ(CSG)内のUE、自宅内のユーザ用のUEなど)による制限されたアクセスを可能にし得る。ピコセルおよびフェムトセルはNSCの例であることに留意されたい。NSCは小規模セルの一例である。本明細書では、小規模セルは、小規模セルを有するネットワーク内の各マクロセルよりもかなり低い送信電力によって特徴付けられるセルを意味し、そのようなセルは、たとえば、3GPP Technical Report(T.R.) 36.932 V12.1.0、Section 4(「Introduction」)内で定義されるような低電力アクセスノードを含む。
【００２６】
マクロセルのためのeNBは、マクロeNBと呼ばれることがある。小規模セルのためのeNBは、小規模セルeNBと呼ばれることがある。NSCのためのeNBは、NSC eNBまたはホームeNB(HNB)と呼ばれることがある。図1に示される例では、eNB110a、110b、および110cは、それぞれマクロセル102a、102b、および102cのためのマクロeNBであり得る。
【００２７】
eNB110xは、UE120xにサービスする、NSC102xのためのNSC eNBであり得る。この例では、eNB110xは、eNB110a、110b、および110cと同様に、免許を受けた帯域内で動作する。対照的に、基地局112は無免許帯域内で動作し、サービスエリア105内のWi-Fiカバレッジを提供するために、NSC103のためのNSC eNBモジュールと、WLAN APモジュールの両方を含む。UE125がカバレッジエリア105内にあり、Wi-Fiのために構成される(すなわち、Wi-Fi無線モジュールを含む)と仮定して、デュアル機能基地局112は、NSC103またはWi-Fiのどちらかを介して、無免許帯域内で動作するように構成されるUE125にサービスし得る。
【００２８】
例示的デュアル機能基地局112が図2に示されている。たとえば、NSC無線モジュール230およびWLAN無線モジュール240が、同じ場所に配置され得る。
【００２９】
任意選択で、基地局112は、NSC無線モジュール230およびWLAN無線モジュール240と動作可能に通信し、モジュール230、240、および/またはそれらの構成要素の活動を調整するコントローラモジュール213を含み得る。
【００３０】
関連する態様では、NSC無線モジュール230は、送信機(TX)構成要素232、受信機(RX)構成要素234、プロセッサ構成要素236、およびチャネル負荷決定構成要素238を含み得、各構成要素は、互いに動作可能に通信する。チャネル負荷決定構成要素238は、SCCを活動化/スイッチオンするか、それともスイッチオフするかを判断するためのメトリックを決定し、またはメトリックの決定を調整し得る。
【００３１】
NSC無線モジュール230は、図2の左側に示される基地局112の構成要素のうちの1つまたは複数を含み得る。WLAN無線モジュール240は、TX構成要素242、RX構成要素244、およびプロセッサ構成要素246を含み得、各構成要素は、互いに動作可能に通信する。別の関連する態様では、構成要素232〜238のうちの1つまたは複数が、メトリックが無免許帯域上の高いトラフィック負荷を示すか、それとも低いトラフィック負荷を示すかを判定するために、モバイルデバイスからメトリックを受信するように構成され得る。たとえば、構成要素のうちの1つまたは複数は、メトリックをしきい値と比較し得る。さらに別の関連する態様では、構成要素232〜238のうちの1つまたは複数が、データ送信キューサイズ、トラフィックタイプ、またはサービス品質(QoS)表示に基づいてメトリックの値を推論するように構成され得る。さらに別の関連する態様では、構成要素232〜238のうちの1つまたは複数が、少なくとも1つのメトリックが比較的高いトラフィック負荷を示さないと判定したことに応答して、たとえば、メトリックがしきい値未満ではない場合、またはしきい値を超えない場合、SCCの非活動化のためにモバイルデバイスに構成メッセージを送るように構成され得る。さらに別の関連する態様では、構成要素232〜238のうちの1つまたは複数が、メトリックが無免許通信帯域上のトラフィック負荷を示すしきい値未満であるかどうかを判定するために、モバイルデバイスから少なくとも1つのメトリックを受信するように構成され得る。さらに別の関連する態様では、構成要素232〜238のうちの1つまたは複数が、データ送信キューサイズ、トラフィックタイプ、またはQoS表示に基づいてメトリックの値を推論するように構成され得るさらに別の関連する態様では、構成要素232〜238のうちの1つまたは複数が、少なくとも1つのメトリックが比較的高いトラフィック負荷を示さないと判定したことに応答して、2次のコンポーネントキャリアの非活動化のために、モバイルエンティティに別の構成メッセージを送るように構成され得る。たとえば、少なくとも1つのメトリックが、免許を受けた通信帯域上のトラフィック負荷を示すしきい値と比較され得、少なくとも1つのメトリックは、セルローディング、無免許通信帯域上の
ユーザ数、利用可能なバックホール帯域幅、または運用のために構成されたアクセスポイントからの干渉のうちの少なくとも1つを含み得る。
【００３２】
基地局112は当初、WLAN APとして動作し、基地局で利用可能な初期化から、または無免許帯域のチャネル上で通信するモバイルデバイスから、チャネル負荷を求め得る。次いで、基地局112はNSCとして動作し、情報を使用して、無免許通信帯域内でSCCを活動化/スイッチオンするか、それともスイッチオフするかを判定し得る。
【００３３】
再び図1を参照すると、ネットワーク100は、Wi-Fiサービスセンタ(SC)115などのWLAN APをも含み得る。Wi-Fi SC115は無免許帯域内で動作し得、サービスエリア104内のWi-Fiカバレッジを提供する。Wi-Fi SC115は、カバレッジエリア104内にあり、Wi-Fiのために構成された(すなわち、Wi-Fi無線モジュールを含む)UE125のためのWi-Fiサービスを提供し得る。UE125は、NSC103内とカバレッジエリア104内に同時にあり得、したがって無免許帯域内のセルラー通信と非セルラー通信の両方が可能であり得る。
【００３４】
ネットワークコントローラ130は、eNBのセットに結合し、これらのeNBのための調整および制御を実現し得る。ネットワークコントローラ130は、バックホールを介してeNB110と通信し得る。eNB110はまた、たとえば、直接的に、またはワイヤレスもしくはワイヤーラインバックホールを介して間接的に、互いに通信し得る。
【００３５】
UE120は、ワイヤレスネットワーク100を全体にわたって分散し得、各UEは静止しており、またはモバイルであり得る。UEはまた、端末、移動局、サブスクライバユニット、ステーションなどと呼ばれることもある。UEは、携帯電話、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、または他のモバイルデバイスであり得る。図1では、両端に矢印の付いた実線は、UEとサービングeNBとの間の所望の伝送を示し、サービングeNBは、ダウンリンクおよび/またはアップリンク上でUEにサービスするように指定されたeNBである。両端に矢印の付いた破線は、UEとeNBとの間の干渉する伝送を示す。
【００３６】
図3は、それぞれ図1の基地局(たとえば、110x、110y、110zなどのNSC)のうちの1つ、およびUEのうちの1つであり得る、基地局110およびUE120の設計のブロック図を示す。基地局110は、アンテナ334aから334tを備え得、UE120は、アンテナ352aから352rを備え得る。
【００３７】
基地局110において、送信プロセッサ320は、データソース312からデータを受信し、コントローラ/プロセッサ340から制御情報を受信し得る。制御情報は、PBCH、PCFICH、PHICH、PDCCHなどについてのものであり得る。データは、PDSCHなどについてのものであり得る。プロセッサ320は、データおよび制御情報を処理し(たとえば、符号化およびシンボルマッピングし)、それぞれデータシンボルおよび制御シンボルを取得し得る。プロセッサ320はまた、たとえばPSS、SSS、およびセル特有の基準信号についての基準シンボルを生成し得る。送信(TX)多入力多出力(MIMO)プロセッサ330が、適用可能な場合、データシンボル、制御シンボル、および/または基準シンボルに対する空間処理(たとえば、プリコーディング)を実施し得、変調器(MOD)332aから332tに出力シンボルストリームを提供し得る。各変調器332は、(たとえば、OFDMなどについての)それぞれの出力シンボルストリームを処理し、出力サンプルストリームを取得し得る。各変調器332は、出力サンプルストリームをさらに処理(たとえば、アナログに変換、増幅、フィルタ処理、およびアップコンバート)し、ダウンリンク信号を取得し得る。変調器332aから332tからのダウンリンク信号が、それぞれアンテナ334aから334tを介して送信され得る。
【００３８】
UE120において、アンテナ352aから352rが、基地局110からダウンリンク信号を受信し、受信した信号を、それぞれ復調器(DEMOD)354aから354rに提供し得る。各復調器354は、それぞれの受信した信号を調整(たとえば、フィルタ処理、増幅、ダウンコンバート、およびデジタル化)し、入力サンプルを取得し得る。各復調器354は、(たとえば、OFDMなどについての)入力サンプルをさらに処理し、受信したシンボルを取得し得る。MIMO検出器356は、受信したシンボルをすべての復調器354aから354rから取得し、適用可能な場合、受信したシンボルに対してMIMO検出を実施し、検出したシンボルを提供し得る。受信プロセッサ358が、検出したシンボルを処理(たとえば、復調、デインターリーブ、および復号化)し、UE120のための復号化したデータをデータシンク360に提供し、復号化した制御情報をコントローラ/プロセッサ380に提供し得る。
【００３９】
アップリンク上で、UE120において、送信プロセッサ364は、データソース362から(たとえば、PUSCHについての)データを受信および処理し、コントローラ/プロセッサ380から(たとえば、PUCCHについての)制御情報を受信および処理し得る。プロセッサ364はまた、基準信号についての基準シンボルを生成し得る。送信プロセッサ364からのシンボルは、適用可能な場合、TXMIMOプロセッサ366によってプリコードされ、(たとえば、SC-FDMなどのための)変調器354aから354rによってさらに処理され、基地局110に送信され得る。基地局110において、UE120からのアップリンク信号がアンテナ334によって受信され、復調器332によって処理され、適用可能な場合、MIMO検出器336によって検出され、受信プロセッサ338によってさらに処理され、UE120によって送られた復号化データおよび制御情報が得られる。プロセッサ338は、データシンク339に復号化データを提供し、コントローラ/プロセッサ340に復号化制御情報を提供し得る。
【００４０】
コントローラ/プロセッサ340および380は、それぞれ基地局110およびUE120における動作を指示し得る。基地局110におけるプロセッサ340および/または他のプロセッサおよびモジュールは、図7に示される機能ブロックおよび/または本明細書で説明される技法についての他のプロセスを実施し、またはその実行を指示し得る。UE120におけるプロセッサ380および/または他のプロセッサおよびモジュールも、図6に示される機能ブロックおよび/または本明細書で説明される技法についての他のプロセスを実施し、またはその実行を指示し得る。メモリ342および382は、それぞれ基地局110およびUE120のためのデータおよびプログラムコードを格納し得る。スケジューラ344は、ダウンリンクおよび/またはアップリンク上のデータ送信についてUEをスケジューリングし得る。
【００４１】
容易に理解するであろうが、アンテナ352、変調器354、送信プロセッサ364、および/またはTX MIMOプロセッサ366は、UE120の送信チェーンを形成し、プロセッサ380の制御下でアップリンク信号を送り、または送信するための手段を供給し得る。たとえば、送信チェーンは、アクセスポイント(たとえば、eNB)のコンポーネントキャリア(たとえば、1次コンポーネントキャリア)との接続を確立するための手段を供給し得る。送信チェーンは、アクセスポイントに少なくとも1つのメトリックを送るための手段を供給し得る。
【００４２】
容易に理解するであろうが、アンテナ352、復調器354、受信プロセッサ358、および/またはRX MIMO検出器356は、UE120の受信チェーンを形成し、アクセスポイント(たとえば、eNB)のコンポーネントキャリア(たとえば、1次コンポーネントキャリア)との接続を確立するための手段を供給し得る。
【００４３】
一態様では、プロセッサ380は、メモリ382内に保持される命令を実行することによって本明細書で説明される方法の動作を実施するためのモジュールを含む。プロセッサ380は、免許を受けた通信帯域が利用可能であるかどうかを判定し、免許を受けた通信帯域が利用可能である場合、送信チェーンおよび/または受信チェーンを制御して、免許を受けた通信帯域上で接続を確立するための手段を含み得る。プロセッサ380は、免許を受けた通信帯域が利用可能ではない場合、既知の周波数帯を選択するための手段を含み得る。プロセッサ380は、免許を受けた通信帯域が利用可能ではない場合、利用可能な周波数帯のセットから1つの周波数帯を選択するための手段を含み得る。
【００４４】
プロセッサ380は、無免許通信帯域の伝送チャネルに対する制約に関連する少なくとも1つのメトリックを求めるための手段を含み得る。そのようなモジュールは、たとえば、それぞれの送信チェーンおよび受信チェーンの動作を制御するためにプロセッサ380によって利用され得る。
【００４５】
図4Aは、連続するキャリアアグリゲーションの一例を示す。K個CCが利用可能であり得、互いに隣接し得、ただし、一般にはKは任意の整数値であり得る。Kは、いくつかのLTEリリースでは5以下に制限され得る。各CCは、最大20MHzの帯域幅を有し得る。5つのCCがサポートされるとき、全システム帯域幅は最大100MHzであり得る。図4Bは、非連続のキャリアアグリゲーションの一例を示す。K個のCCが利用可能であり得、互いに分離し得る。各CCは、最大20MHzの帯域幅を有し得る。アグリゲートされたキャリアは、1次サービングセル(PSCまたはPCell)にサービスする1次コンポーネントキャリア(PCC)を含み得る。1次サービングセルはPCellと呼ばれることがある。アグリゲートされたキャリアは、2次サービングセル(SSCまたはSCell)にそれぞれサービスするいくつかのSCCを含み得る。
【００４６】
本開示の1つまたは複数の態様によれば、無免許帯域内でLTEデバイスを運用するための方法および装置が提供される。たとえば、運用は、無免許帯域内の効率的なキャリアアグリゲーション運用のための方法を含み得る。
【００４７】
NSCの広範な配置についての一課題は、ワイヤレス通信のためのスペクトル可用性が限定され得ることである。NSCは有益であり得るが、専用スペクトルの欠如が、モバイルネットワークのオペレータに対する課題を提示し得る。たとえば、3.5ギガヘルツ(GHz)帯は合計で100メガヘルツ(MHz)を有するだけであり、この周波数帯は免許されることがあり、または免許されないことがある。さらに、マクロレイヤを有するNSCの同一チャネル運用は、マクロインカンベントベンダ(macro incumbent vendor)との相互運用性を必要とし得る。
【００４８】
無免許スペクトル(たとえば、5GHz)上にNSCを配置することは、潜在的な利点を解放し得る。たとえば、(たとえば、5GHz帯内に)広大な無免許スペクトル可用性があり得る。LTEは、Wi-Fiと比較して、より高いスペクトル効率およびカバレッジを提供し得る。いくつかのケースでは、LTEデバイスを無免許帯域内で運用するために変更が必要であり得る。PHYレイヤ内やMACレイヤ内などの別のケースでは、変更はほとんど不要、または全く不要であり得る。たとえば、LTE Rel 8からRel 11が使用され得る。無線周波数集積回路(RFIC)インターフェースを備えるフェムトセル局モデム(FSM)および移動局モデム(MSM)ベースバンドが、無免許帯域内での運用のために変更され得る。
【００４９】
たとえば、無免許帯域内でLTEを使用することは、Wi-Fiに勝る利点をもたらし得る。たとえば、利点には、カバレッジ、容量、モビリティ、およびサービス品質(QoS)の改善が含まれる。
【００５０】
カバレッジに関して、LTEは、より大きい伝送信号遅延スプレッドをサポートし得る。LTEは、より低い信号対干渉雑音比(SINR)およびPHYレイヤレートにおいて動作し得る。LTEは、OFDMAおよび周波数選択スケジューリングを提供し得る。
【００５１】
容量に関して、LTEは、キャリア検知多元接続(CSMA)と比較して、セル分割とともに高い空間再利用利得を提供し得る。LTEでのハイブリッド自動再送要求(HARQ)は、バースト性の干渉を伴う環境内でロバストネスを実現し得る。LTEは、ICICおよびアップリンク(UL)電力制御とともに厳重な干渉管理を実現し得る。リッチパイロット構造は、効率的なチャネル推定および干渉ヌリング(interference nulling)を可能にする。キャリアアグリゲーションでは、より高い柔軟性および干渉ダイバーシティが存在し得る。
【００５２】
モビリティおよびQoSに関して、自己組織化ネットワーク技法が、超高密度非計画ネットワーク配置に対して優れたモビリティおよびQoSを実現し得る。
【００５３】
無免許帯域内でLTEデバイスを運用することは、いくつかの課題を提示し得る。たとえば、無免許帯域内で動作する他のデバイス(たとえば、Wi-Fiデバイス、コードレス電話、高周波レンジなど)からの、非同期かつ調整されない干渉が存在し得る。同一チャネルおよび隣接するチャネルLTE配置からのLTEオペレータ間干渉が存在し得る。一態様では、異なるLTEオペレータが、同期されたTDDパターン、FDM、またはSCC上の拡張セル間干渉調整(eICIC:enhanced inter-cell interference coordination)、またはオペレータ間共存のために開発された他の方法を通じて調整し得る。
【００５４】
一課題は、WLAN RFICによって導入される制約による性能問題であり得る。
【００５５】
本開示の態様によれば、無免許帯域内のキャリアアグリゲーションの効率的な運用のための方法および技法が提供される。無免許スペクトル内のLTE運用を最適化するための方法が、1つまたは複数のメトリックに基づいて無免許帯域内でSCCをスイッチオンまたはオフすることを含む。メトリックは、無免許帯域の可用性または輻輳をシグナリングし得る。たとえば、無免許帯域が空いており、利用可能であるとき(他のデバイスがこれらのバンドをほとんど使用していないときなど)、アクセスポイント(たとえば、eNB)が、UEとの通信のために無免許帯域内で1つまたは複数のSCCをスイッチオンし得る。たとえば、無免許帯域が輻輳するとき、アクセスポイントは、無免許帯域内で1つまたは複数のSCCをスイッチオフし得る。
【００５６】
一実施例では、PCCおよびいくつかのSCCを含むキャリアアグリゲーションが使用され得る。PCCは、免許を受けた帯域上にあり得、または無免許帯域上にあり得る。SCCは、免許を受けた帯域上にあり得、または無免許帯域上にあり得、SCCは、免許を受けた帯域と無免許帯域との任意の組合せの上にあり得る。免許を受けたチャネルが利用可能であるとき、PCCは、免許を受けたチャネル上にあり得る。免許を受けたチャネルが利用可能ではない場合、PCCは、無免許帯域上、たとえば無免許帯域内の既知のチャネル上にあり得る。一態様では、PCCは所定の(たとえば、固定の)チャネル番号上にあり得、またはPCCは、チャネルの所定のリスト内のチャネル上にあり得る。所定のチャネルまたはチャネルのリストは、たとえば、事前構成によって、または所定のチャネルまたはチャネルのリストを含む情報をネットワークから受信することによって、UEにおいて既知であり得る。別の態様では、PCCは、最良のカバレッジに基づいて(たとえば、放射限度および中心周波数に基づいて)選択され得る。動的周波数選択(DFS)チャネルではないPCCを選択することが好ましいことがある(たとえば、上部無免許全国情報インフラストラクチャ(U-NII:upper unlicensed national information infrastructure)帯域)。
【００５７】
トリガに基づいて機会主義的キャリアアグリゲーションが実施され得る。PCellは、少なくとも1つのトリガに基づいてSCellをスイッチオンまたはオフし得る。たとえば、トリガは、セルローディング、ユーザ数、バックホール帯域幅、Wi-Fiまたは他のLTEオペレータからの干渉などのメトリックに基づき得る。たとえば、1つのSCellに激しく負荷がかけられるとき、そのSCellがスイッチオンされ得る。トリガは、近隣のWi-Fi基本サービングセット(BSS)からの干渉などのメトリックに基づき得る(たとえば、Wi-Fiパケット強度を測定して)。SCellをオンまたはオフしたとき、ヒステリシスが使用され得る。たとえば、トリガは、2つのしきい値(たとえば、低いしきい値および高いしきい値)に基づき得る。たとえば、トリガに関連するメトリックが高いしきい値を超えるとき、SCellがスイッチオンされることがあり、メトリックが低いしきい値未満になるまでスイッチオフされないことがある。トリガとして使用されるバックホール帯域幅についての一例では、2つの帯域幅値を表す2つのしきい値が、ヒステリシスに対して使用され得る。たとえば、1次セルまたはバックホールを使用する他のノードによる帯域幅使用量が高いしきい値を超えるとき、1つまたは複数のSCellが非活動化され得る。1つまたは複数のSCellは、帯域幅使用量が低いしきい値未満に降下するまでは再び活動化されないことがある。
【００５８】
図5は、無免許帯域内のSCCのスイッチオンまたはオフをシグナリングするための例示的コールフローダイアグラムを示す。たとえばサービングeNBにおけるPCCは、SCCをスイッチオンするか、それともオフするかを判断するための少なくとも1つのメトリックを求め得る。メトリックは、UE125から受信され得る。メトリックは、eNB112において利用可能である情報に基づいて、eNB112において求められ得る。たとえば、任意選択のステップ510において、UE125は、eNB112に少なくとも1つのメトリックを送り得る。メトリックは、他のWi-Fiデバイスまたは他のLTEデバイスからの干渉に関係し得る。たとえば、メトリックは、測定レポートに関する情報であり得る。ステップ520において、eNB112は、UE125から受信したメトリック情報に基づいて、かつ/またはeNB112において利用可能である情報に基づいて、SCCをスイッチオンするか、それともオフするかを判定し得る。たとえば、メトリックは、セルローディング、ユーザ数、バックホール帯域幅、またはWi-Fiもしくは他のLTEオペレータからの干渉に関係付けられ得る。ステップ530において、eNB112は、eNB520における判定に基づいてSCCをスイッチオンまたはオフするようにUE125に指示を送り得る。
【００５９】
LTE小規模セルは、PCCを搬送し得る帯域の部分に集中し得、SCellを機会主義的にスイッチオン/オフし得る。挙動は、機会主義的新キャリアタイプ(NCT)LTE挙動(opportunistic new carrier type (NCT) LTE behavior)を達成し、Wi-Fiに対する干渉を低減し得る。スマートWi-FiはPCCチャネルから去り、別のチャネルに移動し得、それによってPCCがWi-Fi干渉の影響を受けにくくなり得、それによってロバストネスが改善され得る。
【００６０】
一実施例では、接続セットアップがPCCに対して実施され得、それによってUEを求めるセル探索空間が低減され得る。たとえば、PCCは、より多数のチャネル(たとえば、20)上ではなく、(PCCを求めて)探索され得るチャネルのサブセット上であり得る。LTE小規模セルがPCCについて同一のチャネルを使用し得るので、モビリティがより容易になり得る。たとえば、接続モードおよびアイドルモードのモビリティはPCC上であり得、アイドルユーザはPCC上にとどまり得る。
【００６１】
LTE小規模セルに関連する一課題は、DFSまたはチャネル選択トリガのために異なるチャネルに切り替わることを望むLTE小規模セルに関係し得、次いで小規模セルは、新しいチャネルにハンドオーバするようにUEに通知する必要があり得る。チャネル選択および切替えは、既存の手順が存在しないことがあり得るので、追加の方法および機構を必要とし得る。さらに、UEが新しいチャネルに移動して、小規模セルを発見し得るという保証はないことがある。
【００６２】
旧チャネルを非活動化し、新しいチャネルを活動化することを通じて、PCCによってチャネル切替えが制御され得るので、開示される方法および機構は、チャネル選択および切替えに関連する上記の問題を解決し得る。複数のSCCを使用することは、干渉ダイバーシティを提供し得、1つのSCC上で干渉を受けるUEが、他のSCC上でサービスされ得る。
【００６３】
SCCの選択は、SCCプールに基づき得る。たとえば、SCCチャネル選択を実施するとき、いくつかのチャネル上に集中するLTE小規模セルを保ち、Wi-Fiへの干渉を低減するために、チャネルの一定のプールに、より高い重みが与えられ得る。たとえば、チャネル品質が、プールに属するチャネルに向かってバイアスされ得る。あるケースでは、プールの外部のチャネルのどんなチャネル選択も回避するために、バイアスが無限に設定され得る。チャネルの選択は静的または動的であり得る。
【００６４】
図6を参照すると、モバイルデバイス、ワイヤレスエンティティ、ユーザ機器、ワイヤレスデバイス、ワイヤレス端末などによって動作可能な方法600が示されている。モバイルデバイスは、図3のUE120または図1のUE125であり得る。モバイルデバイスは、免許を受けた通信帯域および/または無免許通信帯域内での動作のために構成され、使用可能にされ得る。具体的には、方法600は、無免許帯域上でSCCをスイッチオンまたはオフすることに関連する方法を記述し得る。方法600は、602において、免許を受けた通信帯域または無免許通信帯域上で1次コンポーネントキャリアとの接続を確立することを含み得る。方法600は、604において、無免許通信帯域の伝送チャネルに対する制約に関連する少なくとも1つのメトリックを求めることを含み得る。方法600は、606において、1次コンポーネントキャリアに少なくとも1つのメトリックを送ることを含み得る。方法600は、608において、少なくとも1つのメトリックを送ったことに応答して、無免許通信帯域上の送信のためにSCCをスイッチオンまたはスイッチオフすることの一方についてのメッセージを受信することを含み得る。
【００６５】
図7を参照すると、アクセスポイント、アクセスノード、eNB、ネットワークノードなどによって動作可能な方法700が示されている。アクセスポイントは、図3のeNB110または図2のeNB112であり得る。アクセスポイントは、免許を受けた通信帯域および/または無免許通信帯域内の運用のために構成され、動作可能にされ得る。具体的には、方法700は、モバイルデバイスの電力設定を管理することを記述し得る。方法700は、702において、免許を受けた通信帯域または無免許通信帯域上でモバイルエンティティとの接続を確立することを含み得る。方法700は、704において、無免許通信帯域の伝送チャネルに対する制約に関連する少なくとも1つのメトリックが、無免許通信帯域上のトラフィック負荷を示すかどうかを判定することを含み得る。たとえば、しきい値を超えるメトリックは、比較的高いトラフィック負荷を示し得る。方法700は、706において、少なくとも1つのメトリックが比較的高いトラフィック負荷を示すと判定したことに応答して、SCCの活動化のためにモバイルエンティティに構成メッセージを送ることを含み得る。比較的高いトラフィック負荷は、たとえば、通常よりも高い、またはユーザに帯域幅制約を気付かせるのに十分な高さであるトラフィック負荷を含み得る。
【００６６】
図8を参照すると、UE、モバイルデバイス、もしくは他の適切なエンティティとして、またはUE内で使用するためのプロセッサ、構成要素、もしくは類似のデバイス、または他の適切なエンティティとして構成され得る例示的装置800が提供される。装置800は、プロセッサ、ソフトウェア、またはそれらの組合せ(たとえば、ファームウェア)によって実装される機能を表し得る機能ブロックを含み得る。
【００６７】
図示されるように、一実施形態では、装置800は、免許を受けた通信帯域または無免許通信帯域上で1次コンポーネントキャリアとの接続を確立するための電気構成要素またはモジュール802を含み得る。構成要素またはモジュール802は、免許を受けた通信帯域または無免許通信帯域上で1次コンポーネントキャリアとの接続を確立するための手段であり得、またはそれを含み得る。前記手段は、コンピュータメモリからのアルゴリズムを実行するトランシーバに接続されたプロセッサであり得、またはそれを含み得る。アルゴリズムは、たとえば、免許を受けた通信帯域または無免許通信帯域の一方を示す信号を受信すること、および受信に応答して、選択された帯域上で信号を送信することを含み得る。
【００６８】
装置800は、無免許通信帯域の伝送チャネルに対する制約に関連する少なくとも1つのメトリックを求めるための電気構成要素またはモジュール804を含み得る。構成要素またはモジュール804は、無免許通信帯域の伝送チャネルに対する制約に関連する少なくとも1つのメトリックを求めるための手段であり得、またはそれを含み得る。前記手段は、コンピュータメモリからのアルゴリズムを実行するプロセッサであり得、またはそれを含み得る。アルゴリズムは、たとえば、接続に関連する無免許通信帯域の伝送チャネルを識別することと、メモリから取り出すこと、または通信ネットワークの別のノードから要求することのうちの1つまたは複数によって伝送チャネルに対する制約の少なくとも1つのメトリックを得ることとを含み得る。
【００６９】
装置800は、1次コンポーネントキャリアに少なくとも1つのメトリックを送るための電気構成要素またはモジュール806を含み得る。構成要素またはモジュール806は、1次コンポーネントキャリアに少なくとも1つのメトリックを送るための手段であり得、またはそれを含み得る。前記手段は、コンピュータメモリからのアルゴリズムを実行するトランシーバまたはネットワークポートに接続されたプロセッサであり得、またはそれを含み得る。アルゴリズムは、たとえば、少なくとも1つのメトリックを符号化すること、およびワイヤードまたはワイヤレス接続を介して少なくとも1つのメトリックを送信することを含み得る。
【００７０】
装置800は、少なくとも1つのメトリックを送ったことに応答して、無免許通信帯域上の送信のためにSCCをスイッチオンまたはスイッチオフすることの一方についてのメッセージを受信するための電気構成要素またはモジュール808を含み得る。構成要素またはモジュール808は、少なくとも1つのメトリックを送ったことに応答して、無免許通信帯域上の送信のためにSCCをスイッチオンまたはスイッチオフすることの一方についてのメッセージを受信するための手段であり得、またはそれを含み得る。前記手段は、コンピュータメモリからのアルゴリズムを実行するトランシーバまたはネットワークポーに接続されたプロセッサであり得、またはそれを含み得る。アルゴリズムは、たとえば、信号を受信すること、信号を復号化すること、および復号化された信号が少なくとも1つのメトリックを送ったことに応答するものであると判定することを含み得る。
【００７１】
関連する態様では、任意選択で、装置800は、ネットワークエンティティとして構成された装置800のケースでは、少なくとも1つのプロセッサを有するプロセッサ構成要素810を含み得る。そのようなケースでは、プロセッサ810は、バス812または類似の通信結合を介して、構成要素802〜808または類似の構成要素と動作可能に通信し得る。プロセッサ810は、電気構成要素またはモジュール802〜808によって実施されるプロセスまたは機能の開始およびスケジューリングを実施し得る。
【００７２】
別の関連する態様では、装置800は、他のネットワークエンティティと通信するためのネットワークインターフェース構成要素814を含み得る。任意選択で、装置800は、たとえばメモリデバイス/構成要素816などの情報を格納するための構成要素を含み得る。コンピュータ可読媒体またはメモリ構成要素816は、バス812などを介して装置800の他の構成要素に動作可能に結合され得る。メモリ構成要素816は、構成要素802〜808、そのサブコンポーネント、またはプロセッサ810の活動を実施するためのコンピュータ可読命令およびデータを格納するように適合され得る。メモリ構成要素816は、構成要素802〜808に関連する機能を実行するための命令を保持し得る。メモリ816の外部として示されているが、構成要素802〜808はメモリ816内に存在し得ることを理解されたい。
【００７３】
図9を参照すると、アクセスポイント、アクセスノード、eNB、ネットワークノード、または他の適切なエンティティとして、またはeNB内で使用するためのプロセッサ、構成要素、または類似のデバイス、または他の適切なエンティティとして構成され得る例示的装置900が提供される。装置900は、プロセッサ、ソフトウェア、またはそれらの組合せ(たとえば、ファームウェア)によって実装される機能を表し得る機能ブロックを含み得る。
【００７４】
図示されるように、一実施形態では、装置900は、免許を受けた通信帯域または無免許通信帯域上でモバイルエンティティとの接続を確立するための電気構成要素またはモジュール902を含み得る。構成要素またはモジュール902は、免許を受けた通信帯域または無免許通信帯域上でモバイルエンティティとの接続を確立するための手段であり得、またはそれを含み得る。前記手段は、コンピュータメモリからのアルゴリズムを実行するトランシーバに接続されたプロセッサであり得、またはそれを含み得る。アルゴリズムは、たとえば、1つまたは複数の通信チャネルの現状態を示す少なくとも1つのパラメータを求めること、少なくとも1つのパラメータに基づいて、免許を受けた通信帯域または無免許通信帯域の一方を選択すること、選択された帯域上で信号を送信すること、および選択された帯域上で信号を受信することを含み得る。
【００７５】
装置900は、無免許通信帯域の伝送チャネルに対する制約に関連する少なくとも1つのメトリックが無免許通信帯域上のトラフィック負荷を示すかどうかを判定するための電気構成要素またはモジュール904を含み得る。構成要素またはモジュール904は、無免許通信帯域の伝送チャネルに対する制約に関連する少なくとも1つのメトリックが無免許通信帯域上のトラフィック負荷を示すかどうかを判定するための手段であり得、またはそれを含み得る。前記手段は、コンピュータメモリからのアルゴリズムを実行するプロセッサであり得、またはそれを含み得る。アルゴリズムは、たとえば、少なくとも1つのメトリックの値を求めること、メモリまたは別のノードから取り出されたしきい値と値を比較すること、およびトラフィック負荷がしきい値およびメトリックの相対値に基づいて高、低、または通常のうちの1つまたは複数であるかどうかの判定を行うことを含み得る。
【００７６】
装置900は、少なくとも1つのメトリックが比較的高いトラフィック負荷を示すと判定したことに応答して、SCCの活動化のためにモバイルエンティティに構成メッセージを送るための電気構成要素またはモジュール906を含み得る。構成要素またはモジュール906は、少なくとも1つのメトリックが比較的高いトラフィック負荷を示すと判定したことに応答して、SCCの活動化のためにモバイルエンティティに構成メッセージを送るための手段であり得、またはそれを含み得る。前記手段は、コンピュータメモリからのアルゴリズムを実行するトランシーバに接続されたプロセッサであり得、またはそれを含み得る。アルゴリズムは、たとえば、少なくとも1つのメトリックが比較的高いトラフィック負荷を示すと判定したことに応答して、構成メッセージを符号化すること、および構成メッセージを送信することを含み得る。
【００７７】
関連する態様では、任意選択で、装置900は、ネットワークエンティティとして構成された装置900のケースでは、少なくとも1つのプロセッサを有するプロセッサ構成要素910を含み得る。そのようなケースでは、プロセッサ910は、バス912または類似の通信結合を介して、構成要素902〜906または類似の構成要素と動作可能に通信し得る。プロセッサ910は、電気構成要素またはモジュール902〜906によって実施されるプロセスまたは機能の開始およびスケジューリングを実施し得る。
【００７８】
別の関連する態様では、装置900は、他のネットワークエンティティと通信するためのネットワークインターフェース構成要素914を含み得る。任意選択で、装置900は、たとえばメモリデバイス/構成要素916などの情報を格納するための構成要素を含み得る。コンピュータ可読媒体またはメモリ構成要素916は、バス912などを介して装置900の他の構成要素に動作可能に結合され得る。メモリ構成要素916は、構成要素902〜906、そのサブコンポーネント、またはプロセッサ910の活動を実施するためのコンピュータ可読命令およびデータを格納するように適合され得る。メモリ構成要素916は、構成要素902〜906に関連する機能を実行するための命令を保持し得る。メモリ916の外部として示されているが、構成要素902〜906はメモリ916内に存在し得ることを理解されたい。
【００７９】
様々な異なる技術および技法のいずれかを使用して情報および信号が表現され得ることを当業者なら理解されよう。たとえば、上記の説明全体にわたって参照され得るデータ、命令、コマンド、情報、信号、ビット、シンボル、およびチップは、電圧、電流、電磁波、磁場または粒子、光場または光粒子、あるいはそれらの任意の組合せによって表現され得る。
【００８０】
本明細書で本開示に関連して説明された様々な例示的論理ブロック、モジュール、回路、およびアルゴリズムステップが、電子ハードウェア、コンピュータソフトウェア、または両方の組合せとして実装され得ることを当業者ならさらに理解されよう。ハードウェアとソフトウェアのこの互換性を明確に示すために、様々な例示的構成要素、ブロック、モジュール、回路、およびステップが、上記ではその機能に関して一般的に説明された。そのような機能がハードウェアとして実装されるか、それともソフトウェアとして実装されるかは、特定の応用分野およびシステム全体に対して課される設計制限に依存する。当業者は、説明された機能を各々の特定の応用分野について様々な方式で実装し得るが、そのような実装判断は、本開示の範囲からの逸脱を引き起こすと解釈されるべきではない。
【００８１】
本明細書の開示に関連して説明される様々な例示的論理ブロック、モジュール、および回路は、本明細書で説明される機能を実施するように設計された汎用プロセッサ、デジタル信号プロセッサ(DSP)、特定用途向け集積回路(ASIC)、フィールドプログラマブルゲートアレイ(FPGA)または他のプログラマブル論理デバイス、ディスクリートゲートまたはトランジスタロジック、ディスクリートハードウェア構成要素、あるいはそれらの任意の組合せとともに実装または実施され得る。汎用プロセッサはマイクロプロセッサであり得るが、代替実施形態では、プロセッサは、任意の従来型プロセッサ、コントローラ、マイクロコントローラ、または状態機械であり得る。プロセッサはまた、コンピューティングデバイスの組合せ、たとえばDSPとマイクロプロセッサの組合せ、複数のマイクロプロセッサ、1つまたは複数のマイクロプロセッサとDSPコア、あるいは任意の他のそのような構成として実装され得る。
【００８２】
本明細書の開示に関連して説明される方法またはアルゴリズムのステップは、ハードウェアで直接的に、プロセッサによって実行されるソフトウェアモジュールで、またはその2つ組合せで実施され得る。ソフトウェアモジュールは、RAMメモリ、フラッシュメモリ、ROMメモリ、EPROMメモリ、EEPROMメモリ、レジスタ、ハードディスク、取外し可能ディスク、CD-ROM、または当技術分野で周知の任意の他の形態の記憶媒体内に常駐し得る。例示的記憶媒体は、プロセッサが記憶媒体から情報を読み取り、記憶媒体に情報を書き込むことができるようにプロセッサに結合される。別法では、記憶媒体はプロセッサと一体であり得る。プロセッサおよび記憶媒体はASIC内にあり得る。ASICはユーザ端末内にあり得る。別法では、プロセッサおよび記憶媒体は、ユーザ端末内に別個の構成要素としてあり得る。
【００８３】
1つまたは複数の例示的設計では、説明される機能は、ハードウェア、ソフトウェア、ファームウェア、またはそれらの任意の組合せで実装され得る。ソフトウェアで実装される場合、機能は、コンピュータ可読記憶媒体上に1つまたは複数の命令またはコードとして格納または送信され得る。コンピュータ可読媒体は、ある場所から別の場所へのコンピュータプログラムの転送を容易にする媒体を含む、コンピュータ記憶媒体と通信媒体の両方を含む。コンピュータ可読記憶媒体は、汎用または専用コンピュータによってアクセスされ得る任意の入手可能な媒体であり得る。限定ではなく例として、そのようなコンピュータ可読記憶媒体は、RAM、ROM、EEPROM、CD-ROM、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を含み得る。さらに、任意の接続がコンピュータ可読媒体と適切に呼ばれる。たとえば、ソフトウェアが、同軸ケーブル、光ファイバケーブル、撚線対、デジタル加入者線(DSL)を使用して、ウェブサイト、サーバ、または他のリモートソースから送信される場合、同軸ケーブル、光ファイバケーブル、撚線対、またはDSLが、コンピュータ可読媒体の定義に含まれる。本明細書では、ディスク(disk)およびディスク(disc)は、コンパクトディスク(disc)(CD)、レーザディスク(登録商標)(disc)、光ディスク(disc)、デジタルバーサタイルディスク(disc)(DVD)、フロッピー(登録商標)ディスク(disk)、およびブルーレイ(登録商標)ディスク(disc)を含み、ディスク(disk)は通常、データを磁気的に再現し、一方、ディスク(disc)は通常、データをレーザで光学的に再現する。上記の組合せもコンピュータ可読媒体の範囲内に含まれるべきである。
【００８４】
本開示の先の説明は、当業者が本開示を作成または使用することを可能にするために提供される。本開示に対する様々な修正は当業者には容易に明らかとなり、本明細書で定義される一般原理は、本開示の精神または範囲から逸脱することなく他の変形形態に適用され得る。したがって、本開示は、本明細書で説明される実施例および設計に限定されるものではなく、本明細書で開示される原理および新規な特徴と一致する最も広い範囲が与えられるべきである。
【符号の説明】
【００８５】
100  例示的ワイヤレス通信ネットワーク
110  基地局
112  基地局
115  Wi-Fiサービスセンタ(SC)
120  ユーザ機器(UE)
125  UE
130  ネットワークコントローラ
213  コントローラモジュール
230  NSC無線モジュール
232  送信機(TX)構成要素
234  受信機(RX)構成要素
236  プロセッサ構成要素
238  チャネル負荷決定構成要素
240  WLAN無線モジュール
242  TX構成要素
244  RX構成要素
246  プロセッサ構成要素
312  データソース
320  プロセッサ
330  送信(TX)多入力多出力(MIMO)プロセッサ
332  変調器(MOD)
334  アンテナ
336  MIMO検出器
338  プロセッサ
339  データシンク
340  プロセッサ
342  メモリ
344  スケジューラ
352  アンテナ
354  復調器(DEMOD)
356  RX MIMO検出器
358  受信プロセッサ
360  データシンク
362  データソース
364  送信プロセッサ
366  MIMOプロセッサ
380  コントローラ/プロセッサ
382  メモリ
【図１】
0006524096.tif 000002
【図２】
0006524096.tif 000003
【図３】
0006524096.tif 000004
【図４Ａ】
0006524096.tif 000005
【図４Ｂ】
0006524096.tif 000006
【図５】
0006524096.tif 000007
【図６】
0006524096.tif 000008
【図７】
0006524096.tif 000009
【図８】
0006524096.tif 000010
【図９】
0006524096.tif 000011